(57)【要約】【課題】殺菌室に囲まれた電子線殺菌装置において、電子線照射で計測器が故障することがないように、電子線照射エネルギー量を把握する。【解決手段】殺菌室４内で容器２等を電子線照射装置３からの電子線照射により殺菌する電子線殺菌装置１において、電子線照射装置３から電子線照射を受ける容器２近傍の位置に、その内部に液体が流通する管路を有する反射板１１を設置して、該反射板１１に前記管路へ液体を供給する供給配管１３および前記管路から液体を回収する回収配管１４，１５を接続して、供給配管１３と回収配管１４，１５の殺菌室４外部の途中に液体の流量を計測する流量計１６，１７並びに液体の温度を計測する温度計１８−２０を設け、計測した前記液体の流量と温度をもとに反射板１１が受ける電子線照射エネルギー量を制御装置２５で演算して求めて、これをもとに容器２への電子線照射エネルギー量を監視できるように構成したことを特徴とする。【選択図】図１
2011229622.tif 000002
【特許請求の範囲】
【請求項１】
殺菌室内で容器等を電子線照射装置からの電子線照射により殺菌する電子線殺菌装置において、前記電子線照射装置から電子線照射を受ける容器近傍の位置に、その内部に液体が流通する管路を有する反射板を設置して、該反射板に前記管路へ液体を供給する供給配管および前記管路から液体を回収する回収配管を接続して、前記供給配管と前記回収配管の前記殺菌室外部の途中に液体の流量を計測する流量計並びに液体の温度を計測する温度計を設け、計測した前記液体の流量と温度をもとに前記反射板が受ける電子線照射エネルギー量を制御装置で演算して求めて、これをもとに前記容器への電子線照射エネルギー量を監視できるように構成したことを特徴とする電子線照射エネルギー量監視システム。
【請求項２】
請求項１に記載する電子線照射エネルギー量監視システムにおいて、前記反射板が複数個ある場合は、前記液体の流量計並びに温度計をそれぞれの反射板に対応するように設けて、前記複数個の反射板に対応して計測した前記液体の流量と温度をもとにそれぞれの反射板が受ける電子線照射エネルギー量を制御装置で演算して求めて、これをもとに前記容器への電子線照射エネルギー量を監視できるように構成したことを特徴とする電子線照射エネルギー量監視システム。
【請求項３】
請求項１又は２に記載する電子線照射エネルギー量監視システムにおいて、前記電子線照射エネルギー量を、前記計測した液体の流量、比重、比熱と、前記回収配管を通過する液体温度と前記供給配管を通過する液体温度との温度差をもとに演算するようにしたことを特徴とする電子線照射エネルギー量監視システム。
【請求項４】
請求項１から３のうちいずれか一項に記載する電子線照射エネルギー量監視システムにおいて、前記計測した液体の流量と、前記回収配管の内断面積と、前記反射板から前記回収配管に設けた温度計までの配管長さから、前記反射板を通過した前記液体が前記温度計に達する時間を演算して、これをもとに前記温度計で前記液体の温度を計測している対象容器のタイミングを割り出して、前記電子線照射エネルギー量を求めた対象容器を特定できるように構成したことを特徴とする電子線照射エネルギー量監視システム。
【請求項５】
殺菌室内で容器等を電子線照射装置からの電子線照射により殺菌する電子線殺菌装置において、前記電子線照射装置から電子線照射を受ける容器近傍の位置に反射板を設置し、該反射板にその他端が前記殺菌室の外部まで延伸したヒートパイプの一端を一体に取り付け、該ヒートパイプの前記他端に前記反射板の温度或いは発熱量を計測する温度計或いは熱量計を設けて、計測した前記温度或いは発熱量をもとに前記反射板が受ける電子線照射エネルギー量を制御装置で演算して求めて、これをもとに前記容器への電子線照射エネルギー量を監視できるように構成したことを特徴とする電子線照射エネルギー量監視システム。
【請求項６】
請求項５に記載する電子線照射エネルギー量監視システムにおいて、前記反射板が複数個ある場合は、前記温度計或いは熱量計をそれぞれの反射板に対応するように設けて、前記複数個の反射板に対応して計測した前記温度或いは発熱量をもとにそれぞれの反射板が受ける電子線照射エネルギー量を制御装置で演算して求めて、これをもとに前記容器への電子線照射エネルギー量を監視できるように構成したことを特徴とする電子線照射エネルギー量監視システム。
【請求項７】
請求項５又は６に記載する電子線照射エネルギー量監視システムにおいて、前記反射板から前記温度計或いは熱量計までの前記ヒートパイプの長さをもとに、前記反射板の温度或いは発熱量が前記温度計或いは熱量計に達する時間を予め求めておいて、これをもとに前記温度計或いは熱量計で前記温度或いは発熱量を計測しているタイミングを割り出して、前記電子線照射エネルギー量を求めた対象容器を特定できるように構成したことを特徴とする電子線照射エネルギー量監視システム。
【請求項８】
請求項１から７のうちいずれか一項に記載する電子線照射エネルギー量監視システムにおいて、前記電子線照射装置の電子線出力量を前記制御装置に取り込んで、該電子線出力量を付加して、電子線照射エネルギー量を監視するように構成したことを特徴とする電子線照射エネルギー量監視システム。
【発明の詳細な説明】
【技術分野】
【０００１】
本発明は、殺菌室内で電子線照射により容器等を殺菌する電子線殺菌装置に関するものである。
【背景技術】
【０００２】
ＰＥＴボトル等の容器に電子線を照射して容器を殺菌する電子線殺菌装置において、電子線照射方向が所定の方向だけとなっている場合、対象とする容器の形状により、或いは肉厚が一様でない容器構成により、容器の電子線吸収量が均一とならないために、容器の箇所によっては殺菌不十分となるか或いは殺菌過多となる恐れがある。このために容器の電子線吸収量を均一化する工夫がなされている。（特許文献１）
また、容器の電子線殺菌装置が実用化されるに当って、容器が正常に殺菌されていることを確認し、管理することが公知技術となっている。（特許文献２）
近年、容器殺菌のトレーサビリティを管理することが衛生管理上求められるようになってきている。
【先行技術文献】
【特許文献】
【０００３】
【特許文献１】特開平１１−２４８８９４号公報（図１、図２）
【特許文献２】特開２００８−２１３８４５号公報（図１）
【発明の概要】
【発明が解決しようとする課題】
【０００４】
前記特許文献１によれば、電子線照射装置の電子線照射窓と反対側に位置する電子線吸収量が少ないボトル（容器）口部と対面する位置に反射板を設けて、電子線照射を受けるボトルが前記電子線照射窓に向いている面と同様の電子線吸収量を受けるようにしている。
しかしながら、前記特許文献１の技術では、ボトルの殺菌エネルギー量監視は電子線照射装置の電流、電圧等の電子線出力量という間接的監視となり、ボトルが受ける電子線照射エネルギー量等の直接的監視ではないという恐れがある。また、反射板を設けているものの、反射板が受ける電子線照射エネルギー量を利用してボトルが受ける電子線照射エネルギー量を監視するシステムの技術については開示されていない。
【０００５】
また、前記特許文献２によれば、電子線殺菌システムは、外部から殺菌ボックス内に搬入され、容器搬送装置により搬送されながら電子線照射装置から電子線照射を受けた容器の温度を温度計により測定して、設定温度範囲に入っているかどうかで容器が正常に殺菌されているかどうかを判定するとしている。
しかしながら、前記特許文献２の技術では、前記温度計が電子線照射の影響を受ける殺菌ボックスの中に設けられているので、電子線照射時に発生するＸ線により故障又は損傷しやすいという恐れがある。
【０００６】
本発明は、殺菌室に囲まれた電子線殺菌装置において、電子線照射の影響で計測器が故障又は損傷することがないように、殺菌室の外部に設けた計測器の計測値をもとに殺菌対象の容器が受ける電子線照射エネルギー量を把握して監視でき、トレーサビリティの管理をすることができるシステムを提供することを目的としている。
【課題を解決するための手段】
【０００７】
前記の課題に対し、本発明は以下の手段により解決を図る。
（１）第１の手段の電子線照射エネルギー量監視システムは、殺菌室内で容器等を電子線照射装置からの電子線照射により殺菌する電子線殺菌装置において、前記電子線照射装置から電子線照射を受ける容器近傍の位置に、その内部に液体が流通する管路を有する反射板を設置して、該反射板に前記管路へ液体を供給する供給配管および前記管路から液体を回収する回収配管を接続して、前記供給配管と前記回収配管の前記殺菌室外部の途中に液体の流量を計測する流量計並びに液体の温度を計測する温度計を設け、計測した前記液体の流量と温度をもとに前記反射板が受ける電子線照射エネルギー量を制御装置で演算して求めて、これをもとに前記容器への電子線照射エネルギー量を監視できるように構成したことを特徴とする。
【０００８】
（２）第２の手段の電子線照射エネルギー量監視システムは、前記第１の手段の電子線照射エネルギー量監視システムにおいて、前記反射板が複数個ある場合は、前記液体の流量計並びに温度計をそれぞれの反射板に対応するように設けて、前記複数個の反射板に対応して計測した前記液体の流量と温度をもとにそれぞれの反射板が受ける電子線照射エネルギー量を制御装置で演算して求めて、これをもとに前記容器への電子線照射エネルギー量を監視できるように構成したことを特徴とする。
【０００９】
（３）第３の手段の電子線照射エネルギー量監視システムは、前記第１又は第２の手段の電子線照射エネルギー量監視システムにおいて、前記電子線照射エネルギー量を、前記計測した液体の流量、比重、比熱と、前記回収配管を通過する液体温度と前記供給配管を通過する液体温度との温度差をもとに演算するようにしたことを特徴とする。
【００１０】
（４）第４の手段の電子線照射エネルギー量監視システムは、前記第１から第３の手段のうちいずれか一の電子線照射エネルギー量監視システムにおいて、前記計測した液体の流量と、前記回収配管の内断面積と、前記反射板から前記回収配管に設けた温度計までの配管長さから、前記反射板を通過した前記液体が前記温度計に達する時間を演算して、これをもとに前記温度計で前記液体の温度を計測している対象容器のタイミングを割り出して、前記電子線照射エネルギー量を求めた対象容器を特定できるように構成したことを特徴とする。
【００１１】
（５）第５の手段の電子線照射エネルギー量監視システムは、殺菌室内で容器等を電子線照射装置からの電子線照射により殺菌する電子線殺菌装置において、前記電子線照射装置から電子線照射を受ける容器近傍の位置に反射板を設置し、該反射板にその他端が前記殺菌室の外部まで延伸したヒートパイプの一端を一体に取り付け、該ヒートパイプの前記他端に前記反射板の温度或いは発熱量を計測する温度計或いは熱量計を設けて、計測した前記温度或いは発熱量をもとに前記反射板が受ける電子線照射エネルギー量を制御装置で演算して求めて、これをもとに前記容器への電子線照射エネルギー量を監視できるように構成したことを特徴とする。
【００１２】
（６）第６の手段の電子線照射エネルギー量監視システムは、前記第５の手段の電子線照射エネルギー量監視システムにおいて、前記反射板が複数個ある場合は、前記温度計或いは熱量計をそれぞれの反射板に対応するように設けて、前記複数個の反射板に対応して計測した前記温度或いは発熱量をもとにそれぞれの反射板が受ける電子線照射エネルギー量を制御装置で演算して求めて、これをもとに前記容器への電子線照射エネルギー量を監視できるように構成したことを特徴とする。
【００１３】
（７）第７の手段の電子線照射エネルギー量監視システムは、前記第５又は第６の手段の電子線照射エネルギー量監視システムにおいて、前記反射板から前記温度計或いは熱量計までの前記ヒートパイプの長さをもとに、前記反射板の温度或いは発熱量が前記温度計或いは熱量計に達する時間を予め求めておいて、これをもとに前記温度計或いは熱量計で前記温度或いは発熱量を計測しているタイミングを割り出して、前記電子線照射エネルギー量を求めた対象容器を特定できるように構成したことを特徴とする。
【００１４】
（８）第８の手段の電子線照射エネルギー量監視システムは、前記第１から第７の手段のうちいずれか一の電子線照射エネルギー量監視システムにおいて、前記電子線照射装置の電子線出力量を前記制御装置に取り込んで、該電子線出力量を付加して、電子線照射エネルギー量を監視するように構成したことを特徴とする。
【発明の効果】
【００１５】
請求項１に係わる本発明は、殺菌室内で容器等を電子線照射装置からの電子線照射により殺菌する電子線殺菌装置において、前記電子線照射装置から電子線照射を受ける容器近傍の位置に、その内部に液体が流通する管路を有する反射板を設置して、該反射板に前記管路へ液体を供給する供給配管および前記管路から液体を回収する回収配管を接続して、前記供給配管と前記回収配管の前記殺菌室外部の途中に液体の流量を計測する流量計並びに液体の温度を計測する温度計を設け、計測した前記液体の流量と温度をもとに前記反射板が受ける電子線照射エネルギー量を制御装置で演算して求めて、これをもとに前記容器への電子線照射エネルギー量を監視できるようにしたことにより、殺菌対象容器が受ける電子線照射エネルギー量を、電子線照射装置の電子線出力量という間接的なものではなく、電子線照射を直接受けた反射板の電子線照射エネルギー量で把握して、これをもとに殺菌対象容器の殺菌良否を監視でき、その結果をトレーサビリティとして管理できるとともに、温度計等の機器が電子線照射の影響を受けない殺菌室の外部で使用されるために故障又は損傷されずにすみ、さらに、前記反射板がその内部の管路を通過する水により冷却されて、反射板が高温になるのを防止できるという効果を有する。
【００１６】
請求項２に係わる本発明は、請求項１に記載する電子線照射エネルギー量監視システムにおいて、前記反射板が複数個ある場合は、前記液体の流量計並びに温度計をそれぞれの反射板に対応するように設けて、前記複数個の反射板に対応して計測した前記液体の流量と温度をもとにそれぞれの反射板が受ける電子線照射エネルギー量を制御装置で演算して求めて、これをもとに前記容器への電子線照射エネルギー量を監視できるようにしたことにより、電子線照射エネルギー量を木目細かく把握して監視することができて、電子線照射による殺菌性能の監視精度が向上するという効果を有する。
【００１７】
請求項３に係わる本発明は、前記請求項１又は２に記載する電子線照射エネルギー量監視システムにおいて、前記電子線照射エネルギー量を、前記計測した液体の流量、比重、比熱と、前記回収配管を通過する液体温度と前記供給配管を通過する液体温度との温度差をもとに演算するようにしたことにより、電子線照射エネルギー量監視システムを具体的に提供できるという効果を有する。
【００１８】
請求項４に係わる本発明は、前記請求項１から３のうちいずれか一項に記載する電子線照射エネルギー量監視システムにおいて、前記計測した液体の流量と、前記回収配管の内断面積と、前記反射板から前記回収配管に設けた温度計までの配管長さから、前記反射板を通過した前記液体が前記温度計に達する時間を演算して、これをもとに前記温度計で前記液体の温度を計測している対象容器のタイミングを割り出すようにしたことにより、前記電子線照射エネルギー量を求めた対象容器を特定でき、容器殺菌のトレーサビリティを容器毎に把握できるという効果を有する。
【００１９】
請求項５に係わる本発明は、殺菌室内で容器等を電子線照射装置からの電子線照射により殺菌する電子線殺菌装置において、殺菌室内で容器等を電子線照射装置からの電子線照射により殺菌する電子線殺菌装置において、前記電子線照射装置から電子線照射を受ける容器近傍の位置に反射板を設置し、該反射板にその他端が前記殺菌室の外部まで延伸したヒートパイプの一端を一体に取り付け、該ヒートパイプの前記他端に前記反射板の温度或いは発熱量を計測する温度計或いは熱量計を設けて、計測した前記温度或いは発熱量をもとに前記反射板が受ける電子線照射エネルギー量を制御装置で演算して求めて、これをもとに前記容器への電子線照射エネルギー量を監視できるように構成したことにより、殺菌対象容器が受ける電子線照射エネルギー量を、電子線照射装置の電子線出力量という間接的なものではなく、電子線照射を直接受けた反射板の電子線照射エネルギー量で把握して、これをもとに殺菌対象容器の殺菌良否を監視でき、その結果をトレーサビリティとして管理できるとともに、温度計等の機器が電子線照射の影響を受けない殺菌室の外部で使用されるために故障又は損傷されずにすみ、さらに、前記温度或いは発熱量計測の装置が簡素な構造になるという効果を有する。
【００２０】
請求項６に係わる本発明は、前記請求項５に記載する電子線照射エネルギー量監視システムにおいて、前記反射板が複数個ある場合は、前記温度計或いは熱量計をそれぞれの反射板に対応するように設けて、前記複数個の反射板に対応して計測した前記温度或いは発熱量をもとにそれぞれの反射板が受ける電子線照射エネルギー量を制御装置で演算して求めて、これをもとに前記容器への電子線照射エネルギー量を監視できるように構成したことにより、電子線照射エネルギー量を木目細かく把握して監視することができて、電子線照射による殺菌性能の監視精度が向上するという効果を有する。
【００２１】
請求項７に係わる本発明は、前記請求項５又は６に記載する電子線照射エネルギー量監視システムにおいて、前記反射板から前記温度計或いは熱量計までの前記ヒートパイプの長さをもとに、前記反射板の温度或いは発熱量が前記温度計或いは熱量計に達する時間を予め求めておいて、これをもとに前記温度計或いは熱量計で前記温度或いは発熱量を計測しているタイミングを割り出すようにしたことにより、前記電子線照射エネルギー量を求めた対象容器を特定でき、容器殺菌のトレーサビリティを容器毎に把握できるという効果を有する。
【００２２】
請求項８に係わる本発明は、前記請求項１から７のうちいずれか一項に記載する電子線照射エネルギー量監視システムにおいて、前記電子線照射装置の電子線出力量を前記制御装置に取り込んで、該電子線出力量を付加して、電子線照射エネルギー量を監視するようにしたことにより、電子線照射装置の出力の把握と前記反射板での電子線照射エネルギー量の把握を互いにバックアップして、総合的に高度で確実な電子線照射エネルギー量監視システムとすることができるという効果を有する。
【図面の簡単な説明】
【００２３】
【図１】本発明の第１の実施の形態に係わる電子線照射エネルギー量監視システムを摸式的に示した正面図で、一部断面図としてある。
【図２】本発明の第２の実施の形態に係わる電子線照射エネルギー量監視システムを摸式的に示した正面図で、一部断面図としてあり、図１に相当する図である。
【発明を実施するための形態】
【００２４】
以下、この発明の実施の形態につき図面を参照しつつ詳細に説明する。なお、この実施の形態によりこの発明が限定されるものではない。また、下記実施の形態における構成要素には、当業者が容易に想定できるもの、あるいは実質的に同一のものが含まれる。
（発明の第１の実施の形態）
【００２５】
本発明の実施の形態を図１に基づいて説明する。
図１は、本発明に係わる第１の実施の形態の電子線照射エネルギー量監視システムを摸式的に示した正面図で、一部断面図としてある。
図において、電子線殺菌装置１は、殺菌室４に搬送されてきた容器２が、円周等分に設けられて図示しない開閉機構により開閉するグリッパ７により首部２ｎを把持されて、図示しない駆動装置によって回転する軸５の回転により回転円板６を介して回転搬送され、前記殺菌室４の壁部に設けられた電子線照射装置３の前方に達した時、該電子線照射装置３の電子線照射窓３ｗから電子線照射を受けて殺菌され、前記容器２への電子線照射エネルギー量を電子線照射エネルギー量監視システム１０により監視されるように構成されている。
【００２６】
前記電子線照射エネルギー量監視システム１０は、電子線照射を受けて殺菌される前記容器２の近傍の位置で、前記容器２から見て電子線照射窓３ｗと反対側に対向して設けられ、内部に水（液体）を流通する図示しない管路を設けた反射板１１および反射板１２と、前記反射板１１および反射板１２の管路に水（液体）を供給する供給配管１３ａおよび供給配管１３ｂと、前記反射板１１および反射板１２の管路から水（液体）を回収する回収配管１４および回収配管１５と、矢印１３ｆの方向から水（液体）を前記配管１３ａと前記配管１３ｂに分岐して供給する供給配管１３と、前記供給配管１３の途中で前記殺菌室４の外部に設けられた温度計１８と、前記回収配管１４の途中で前記殺菌室４の外部に設けられた流量計１６並びに温度計１９と、前記回収配管１５の途中で前記殺菌室４の外部に設けられた流量計１７並びに温度計２０と、これらの装置、システムを制御する制御装置２５により構成されている。
【００２７】
次に、本発明の実施の形態に係わる電子線殺菌装置１の電子線照射エネルギー量監視システム１０の作用を説明する。
殺菌室４に搬送されてきた容器２が、前記回転円板６の回転により回転搬送されて、前記殺菌室４の壁部に設けられた電子線照射装置３の前方に達した時、該電子線照射装置３から電子線照射を受けて殺菌される際に、前記反射板１１および反射板１２は、前記電子線照射装置３から照射された電子線が周辺機器に不必要に照射されないようにするとともに、前記電子線照射装置３から照射された電子線を該反射板１１および反射板１２に反射させ、容器２に電子線を当てて殺菌する。この際、前記反射板１１および反射板１２に受けた電子線照射により該反射板１１および反射板１２が熱エネルギーを与えられて発熱する。
【００２８】
前記温度計１８により温度Ｔｉ℃を計測され、前記供給配管１３ａにより供給されてきた水は、前記反射板１１内の管路を通過する際に、前記反射板１１が受けた熱エネルギーにより温められて、前記回収配管１４内では温度計１９により温度Ｔ１ｏ℃を、流量計１６により流量Ｑ１を計測されて矢印１４ｆの方向に回収される。
同様に、前記温度計１８により温度Ｔｉ℃を計測され、前記供給配管１３ｂにより供給されてきた水は、前記反射板１２内の管路を通過する際に、前記反射板１２が受けた熱エネルギーにより温められて、前記回収配管１５内では温度計２０により温度Ｔ２ｏ℃を、流量計１７により流量Ｑ２を計測されて矢印１５ｆの方向に回収される。
【００２９】
前記温度計１８により計測された温度Ｔｉ℃、前記温度計１９により計測された温度Ｔ１ｏ℃、前記温度計２０により計測された温度Ｔ２ｏ℃、前記流量計１６により計測された流量Ｑ１、前記流量計１７により計測された流量Ｑ２の信号は、制御装置２５に送られて、前記反射板１１および反射板１２が受ける単位時間当りの電子線照射エネルギー量が、それぞれＥ１＝ｃｘｄｘＱ１ｘ（Ｔ１ｏ―Ｔｉ）、および、Ｅ２＝ｃｘｄｘＱ２ｘ（Ｔ２ｏ―Ｔｉ）として制御装置２５で演算される。なお、ここで、ｃおよびｄは水（流体）の比熱および比重である。
【００３０】
ここで、制御装置２５には予めＥ１並びにＥ２をもとにしたエネルギー量の許容範囲が設定されていて、演算されたＥ１並びにＥ２をもとにしたエネルギー量が所定の許容範囲に入っていれば、反射板１１並びに反射板１２で受けた電子線照射による電子線照射エネルギー量が正常であると判断され、演算されたＥ１並びにＥ２をもとにしたエネルギー量が所定の許容範囲から外れていれば、反射板１１並びに反射板１２で受けた電子線照射による電子線照射エネルギー量が異常であると判断される。
前記容器２への電子線照射エネルギー量は、前記反射板１１並びに反射板１２が受けた電子線照射エネルギー量から等価換算して監視できるとともに、前記容器２への電子線照射エネルギー量のトレーサビリティを管理できる。
従来は、温度計等の計測器が殺菌室４内に設けられていたが、本発明によれば、計測器が殺菌室４の外部に設けられるので前記計測器が電子線照射を受けて故障、損傷するということはない。
【００３１】
また、供給配管１４および回収配管１５の内断面積をＤ１およびＤ２とし、前記反射板１１と前記温度計１９、および、前記反射板１２と前記温度計２０の間の配管長さをＬ１およびＬ２とすると、前記反射板１１で温められた水が前記反射板１１から前記温度計１９まで到達する時間ｔ１、および、前記反射板１２で温められた水が前記反射板１２から前記温度計２０まで到達する時間ｔ２は、ｔ１＝Ｄ１ｘＬ１／Ｑ１、および、ｔ２＝Ｄ２ｘＬ２／Ｑ２となり、これらのｔ１およびｔ２を制御装置２５で演算することにより、監視された電子線照射エネルギー量の対象容器２を特定することができる。
なお、ここで、Ｄ１とＤ２が同じである場合、Ｌ１とＬ２を同じ長さとしておけば、前記反射板１１および前記反射板１２に対応する電子線照射エネルギー量監視対象の容器２を同時に特定できる。
【００３２】
さらに、電子線照射装置３の電流、電圧等の電子線出力量を制御装置２５に取り込んで、前記Ｅ１および前記Ｅ２に加味すると、電子線照射装置３の電子線出力量の把握と前記反射板１１並びに前記反射板１２で受けた電子線照射エネルギー量の把握を互いにバックアップして、総合的に高度で確実な電子線照射エネルギー量監視ができる。
【００３３】
（第２の実施の形態）
次に、本発明の第２の実施の形態を図２に基づいて説明する。
図２は、本発明に係わる第２の実施の形態の電子線照射エネルギー量監視システムを摸式的に示した正面図で、一部断面図としてあり、図１に相当する図である。
図２において、第１の実施の形態と同じ構造のものは同じ記号を記してあり、重複する説明は省略する。
図において、電子線殺菌装置１ａの電子線照射エネルギー量監視システム１０ａは、電子線照射を受けて殺菌される前記容器２の近傍の位置で、前記電子線照射装置３の電子線照射窓３ｗと前記容器２から見て反対側に対向して設けられた反射板１１ａおよび反射板１２ａと、前記反射板１１ａにその一端の蒸発部が一体に取り付けられたヒートパイプ２１と、殺菌室４の外部に位置した該ヒートパイプ２１の他端の凝縮部にブロック２１ａを介して設けられた前記反射板１１ａの温度を計測する温度計２３と、前記反射板１２ａにその一端の蒸発部が一体に取り付けられたヒートパイプ２２と、殺菌室４の外部に位置した該ヒートパイプ２２の他端の凝縮部にブロック２２ａを介して設けられた前記反射板１２ａの温度を計測する温度計２４と、これらの装置、システムを制御する制御装置２５ａにより構成されている。
【００３４】
次に、本発明の実施の形態に係わる電子線殺菌装置１ａの電子線照射エネルギー量監視システム１０ａの作用を説明する。
前記反射板１１ａおよび反射板１２ａが電子線照射を受けて温められると、反射板１１ａおよび反射板１２ａに一体に取り付けられているヒートパイプ２１およびヒートパイプ２２の熱移動作用によって、温められた反射板１１ａおよび反射板１２ａの温度が温度計２３および温度計２４により計測され、計測された温度の信号が制御装置２５ａに取り込まれて、前記反射板１１ａおよび反射板１２ａが受けた電子線照射エネルギー量が制御装置２５ａによって演算により求められ、これをもとに前記容器２への電子線照射エネルギー量を監視できるとともに、前記容器２への電子線照射エネルギー量のトレーサビリティを管理できる。
なお、上記説明では、ヒートパイプ２１およびヒートパイプ２２にブロック２１ａおよびブロック２２ａを介して温度計２３および温度計２４を設けた場合について説明したが、温度計の代わりに熱量計を設けることとしてもよい。
【００３５】
このようにして、温度計等の計測器が、殺菌室４内に設けられることなく、殺菌室４の外部で反射板１１ａ並びに反射板１２ａの温度を計測できるので、前記計測器が電子線照射を受けて故障、損傷するということはない。
また、ヒートパイプ２１およびヒートパイプ２２の熱移動の時間を予め調べておけば、監視された電子線照射エネルギー量の対象容器２を特定することができる。
さらに、ヒートパイプ２１およびヒートパイプ２２の長さを同じにしておく等の対応により、反射板１１ａおよび反射板１２ａに対応する電子線照射エネルギー量監視対象の容器２を同時に特定できる。
【００３６】
なお、上記説明では、反射板を２個設ける場合について説明したが、反射板は１個でもよく、また、３個以上でもよく、容器の形状、目的等により必要な個数の反射板を選定できる。
【符号の説明】
【００３７】
１、１ａ  電子線殺菌装置
２  容器
３  電子線照射装置
４  殺菌室
６  回転円板
７  グリッパ
１０、１０ａ  電子線照射エネルギー量監視システム
１１、１１ａ、１２、１２ａ  反射板
１３、１３ａ、１３ｂ  供給配管
１４，１５  回収配管
１６、１７  流量計
１８、１９、２０  温度計
２１、２２  ヒートパイプ
２３、２４  温度計
２５、２５ａ  制御装置
【図１】
2011229622.tif 000003
【図２】
2011229622.tif 000004